(57)【要約】【課題】照明器具などに用いられるＬＥＤ点灯回路において、多数のＬＥＤから成るモジュールを一括して定電流駆動するにあたって、ＬＥＤ断線時の故障の拡大を防止する。【解決手段】ＤＤコン３５からＬＥＤモジュール３２への電流を抵抗Ｒ２で検知し、比較回路３７で基準電圧源３８からの基準電圧Ｖｒｅｆと比較し、その結果から制御回路３６がＤＤコン３５を制御することでＬＥＤモジュール３２への電流を一括定電流制御する点灯回路３１において、ＬＥＤモジュール３２を構成する各ＬＥＤ負荷回路Ｕ１〜Ｕ３のＬＥＤＤ１の端子間に並列に、断線時に規定の電流を迂回して通過させる分流回路Ａを設ける。したがって、たとえばＬＥＤ負荷回路Ｕ１のＬＥＤＤ１０に断線が生じた場合、流れるべき電流は迂回して断線前と同じレベルで流れ、残余のＬＥＤ負荷回路Ｕ２，Ｕ３に過剰な電流が流れ込んで過負荷状態で点灯し、故障が連鎖的に拡がるのを防止できる。【選択図】図１
2008130989.tif 000002
【特許請求の範囲】
【請求項１】
１または直列複数段のＬＥＤから成るＬＥＤ負荷回路が相互に並列に複数配置されて成るＬＥＤモジュールに対して、直流電源が定電流で点灯駆動するようにしたＬＥＤ点灯回路において、
１または直列複数段のＬＥＤに対して、その端子間に並列に介在され、対応するＬＥＤの断線時に、そのＬＥＤに予め規定されたレベルの電流を迂回して通過させる分流回路を含むことを特徴とするＬＥＤ点灯回路。
【請求項２】
前記分流回路は、ツェナダイオード含むことを特徴とする請求項１記載のＬＥＤ点灯回路。
【請求項３】
前記分流回路は、前記１または直列複数段のＬＥＤに対して並列に設けられるインピーダンス素子およびスイッチ素子の直列回路と、前記１または直列複数段のＬＥＤの断線の有無を検知し、通常時には前記スイッチ素子を開成し、断線が検知されると前記スイッチ素子を閉成する断線検知回路とを備えて構成されることを特徴とする請求項１記載のＬＥＤ点灯回路。
【請求項４】
前記各ＬＥＤ負荷回路には直列に制御素子が設けられ、それらの制御素子はカレントミラー回路を構成して各ＬＥＤ負荷回路間の通電電流値を連動させるとともに、それらの制御素子の内、対応するＬＥＤ負荷回路におけるＬＥＤのＯＮ電圧の総和を含めて、ＬＥＤ電流による電圧降下が最も高いＬＥＤ負荷回路に対応するものが、前記カレントミラーの基準電流回路となるようにダイオード接続されていることを特徴とする請求項１〜３のいずれか１項に記載のＬＥＤ点灯回路。
【請求項５】
前記直流電源は、ＤＣ−ＤＣコンバータであり、
前記各ＬＥＤ負荷回路を流れる総電流値を検出する電流検出手段と、
前記電流検出手段からの検出結果を比較するための基準電圧源および比較器と、
前記比較器からの出力に応じて、前記ＬＥＤモジュールへの通電電流値の総和が予め定める値となるように前記直流電源をフィードバック制御する制御手段とを備えて構成されることを特徴とする請求項１〜４のいずれか１項に記載のＬＥＤ点灯回路。
【請求項６】
前記請求項１〜５のいずれか１項に記載のＬＥＤ点灯回路を用いることを特徴とする照明器具。
【発明の詳細な説明】
【技術分野】
【０００１】
本発明は、ＬＥＤの点灯回路およびそれを用いる照明器具に関し、特に複数並列に設けられるＬＥＤを一括して定電流制御する際の断線対策に関する。
【背景技術】
【０００２】
前記ＬＥＤ（発光ダイオード）を前記照明器具に用いる場合のように、必要な光出力を得るために多数のＬＥＤを用いる場合、また少電流のＬＥＤは効率が高く同じ光出力を得るにもチップを細分化する場合、１または直列複数段のＬＥＤから成るＬＥＤ負荷回路が相互に並列に複数配置されて成るＬＥＤモジュールが発光部分に用いられることになる。そのようなＬＥＤモジュールに対して、所定の輝度となるように、直流電源が定電流で点灯駆動する。
【０００３】
図５は、そのような構成の典型的な従来技術のＬＥＤ点灯回路１１を示すブロック図である。この従来技術は、特許文献１に示されたものである。このＬＥＤ点灯回路１１では、ＬＥＤ負荷を多数直列に接続したＬＥＤ負荷回路ｕ１〜ｕ３を３回路並列に接続してＬＥＤモジュール２が構成されている。そのＬＥＤモジュール２には、各ＬＥＤ負荷回路ｕ１〜ｕ３への総通電電流値を抵抗ｒ２で電圧変換して検出し、比較器１７において、その電圧を基準電圧Ｖｒｅｆと比較した結果が一定値になるように、ＰＷＭ制御回路１６がＤＣ−ＤＣコンバータ１５を制御するように構成されている。ＤＣ−ＤＣコンバータ１５は、直流電源１３からの電圧Ｖｄｃをスイッチング素子ｑ０によってスイッチングしてトランスｔの１次側に与え、２次側出力を整流平滑回路１４にて整流・平滑化した直流電圧ＶＤＣを前記各ＬＥＤ負荷回路ｕ１〜ｕ３へ与えることで、電源側と負荷側とを絶縁する１石フライバックコンバータで構成されている。そして、このＬＥＤ点灯回路１１では、各ＬＥＤ負荷回路ｕ１〜ｕ３に定電流回路ｄ１〜ｄ３がそれぞれ直列に設けられており、各ＬＥＤ負荷回路ｕ１〜ｕ３間の電流、すなわち輝度が均等になるように構成されている。
【特許文献１】特開２００４−３１９５８３号公報
【発明の開示】
【発明が解決しようとする課題】
【０００４】
上述のような従来技術では、相互に並列の各ＬＥＤ負荷回路ｕ１〜ｕ３におけるＬＥＤの何れかに断線が生じると、そのＬＥＤ負荷回路に流れるべき電流が残余のＬＥＤ負荷回路に流れ、その残余のＬＥＤ負荷回路が過負荷状態で点灯し、故障が連鎖的に拡がってしまうという問題がある。たとえば、図５のように３系統のＬＥＤ負荷回路ｕ１〜ｕ３の何れかで断線が生じ、前記ＤＣ−ＤＣコンバータ１５がそのまま定電流制御を行っていると、残余のＬＥＤ負荷回路には、３／２倍の電流が流れ込むことになる。
【０００５】
本発明の目的は、直流電源が複数のＬＥＤから成るＬＥＤモジュールを一括して定電流駆動するにあたって、ＬＥＤ断線時の故障の拡大を防止することができるＬＥＤ点灯回路およびそれを用いる照明器具を提供することである。
【課題を解決するための手段】
【０００６】
本発明のＬＥＤ点灯回路は、１または直列複数段のＬＥＤから成るＬＥＤ負荷回路が相互に並列に複数配置されて成るＬＥＤモジュールに対して、直流電源が定電流で点灯駆動するようにしたＬＥＤ点灯回路において、１または直列複数段のＬＥＤに対して、その端子間に並列に介在され、対応するＬＥＤの断線時に、そのＬＥＤに予め規定されたレベルの電流を迂回して通過させる分流回路を含むことを特徴とする。
【０００７】
上記の構成によれば、照明器具などに用いられるＬＥＤ点灯回路において、１または直列複数段のＬＥＤから成るＬＥＤ負荷回路が相互に並列に複数配置されて成るＬＥＤモジュールに対して、直流電源が定電流で点灯駆動するにあたって、各ＬＥＤ毎、或いは直列複数段のＬＥＤ負荷回路毎等の任意の個数のＬＥＤに対して、その端子間に並列に分流回路を設け、該分流回路は、対応するＬＥＤが断線すると、そのＬＥＤに予め規定されていたレベルの電流をＬＥＤに代わって通過させる。
【０００８】
したがって、直流電源が複数のＬＥＤから成るＬＥＤモジュールを一括して定電流で点灯駆動し、任意のＬＥＤに断線が生じても、そのＬＥＤに流れるべき電流は、断線箇所を迂回して、断線前と同じレベルで流れるので、残余のＬＥＤ負荷回路に過剰な電流が流れ込んで過負荷状態で点灯し、故障が連鎖的に拡がってしまうことを防止することができる。
【０００９】
また、本発明のＬＥＤ点灯回路では、前記分流回路は、ツェナダイオード含むことを特徴とする。
【００１０】
上記の構成によれば、ＬＥＤに並列に、ツェナダイオードまたはツェナダイオードと抵抗との直列回路を接続することで、特に１または数個の少数のＬＥＤ毎に設ける分流回路として好適で、常時損失が無く、断線検知から電流の迂回を行うことができる。
【００１１】
さらにまた、本発明のＬＥＤ点灯回路では、前記分流回路は、前記１または直列複数段のＬＥＤに対して並列に設けられるインピーダンス素子およびスイッチ素子の直列回路と、前記１または直列複数段のＬＥＤの断線の有無を検知し、通常時には前記スイッチ素子を開成し、断線が検知されると前記スイッチ素子を閉成する断線検知回路とを備えて構成されることを特徴とする。
【００１２】
上記の構成によれば、特に直列複数段のＬＥＤから成るＬＥＤ負荷回路毎に設ける分流回路として好適で、常時損失が小さく、断線検知から電流の迂回を行うことができる。
【００１３】
また、本発明のＬＥＤ点灯回路は、前記各ＬＥＤ負荷回路には直列に制御素子が設けられ、それらの制御素子はカレントミラー回路を構成して各ＬＥＤ負荷回路間の通電電流値を連動させるとともに、それらの制御素子の内、対応するＬＥＤ負荷回路におけるＬＥＤのＯＮ電圧の総和を含めて、ＬＥＤ電流による電圧降下が最も高いＬＥＤ負荷回路に対応するものが、前記カレントミラーの基準電流回路となるようにダイオード接続されていることを特徴とする。
【００１４】
上記の構成によれば、直流電源から一括定電流通電を行う前記各ＬＥＤ負荷回路に直列に、カレントミラー回路を構成する制御素子を設け、それらの制御素子において、前記各ＬＥＤ負荷回路におけるＬＥＤのＯＮ電圧Ｖｆの総和を含めて、ＬＥＤ電流による電圧降下が最も高い回路を基準として、そのＬＥＤ負荷回路に対応した制御素子をダイオード構造とし、制御端子を介して残余の回路の制御素子の通電電流値を連動させることで、各ＬＥＤ負荷回路間のバランスを取るようにする。具体的には、前記制御素子がトランジスタである場合には、制御端子であるベースと、コレクタとを短絡するとともに、ベースを共通に接続する。また、前記制御素子がＭＯＳ型トランジスタである場合には、制御端子であるゲートと、ドレインとを短絡するとともに、ゲートを共通に接続する。
【００１５】
したがって、各ＬＥＤ負荷回路間の電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。
【００１６】
さらにまた、本発明のＬＥＤ点灯回路では、前記直流電源は、ＤＣ−ＤＣコンバータであり、前記各ＬＥＤ負荷回路を流れる総電流値を検出する電流検出手段と、前記電流検出手段からの検出結果を比較するための基準電圧源および比較器と、前記比較器からの出力に応じて、前記ＬＥＤモジュールへの通電電流値の総和が予め定める値となるように前記直流電源をフィードバック制御する制御手段とを備えて構成されることを特徴とする。
【００１７】
上記の構成によれば、直流電源から前記各ＬＥＤ負荷回路への通電電流値を検出し、その検出結果に基づいて、前記通電電流値の総和が予め定める値となるように、フィードバックによって前記直流電源を定電流制御するので、定電圧制御に比べて、制御素子での損失が小さく、低損失化することができる。
【００１８】
また、本発明の照明器具は、前記のＬＥＤ点灯回路を用いることを特徴とする。
【００１９】
上記の構成によれば、直流電源が複数のＬＥＤから成るＬＥＤモジュールを一括して定電流駆動するにあたって、ＬＥＤ断線時の故障の拡大を防止することができる照明器具を実現することができる。
【発明の効果】
【００２０】
本発明のＬＥＤ点灯回路は、以上のように、照明器具などに用いられるＬＥＤ点灯回路において、１または直列複数段のＬＥＤから成るＬＥＤ負荷回路が相互に並列に複数配置されて成るＬＥＤモジュールに対して、直流電源が定電流で点灯駆動するにあたって、各ＬＥＤ毎、或いは直列複数段のＬＥＤ負荷回路毎等の任意の個数のＬＥＤに対して、その端子間に並列に分流回路を設け、該分流回路は、対応するＬＥＤが断線すると、そのＬＥＤに予め規定されていたレベルの電流をＬＥＤに代わって通過させる。
【００２１】
それゆえ、直流電源が複数のＬＥＤから成るＬＥＤモジュールを一括して定電流で点灯駆動し、任意のＬＥＤに断線が生じても、そのＬＥＤに流れるべき電流は、断線箇所を迂回して、断線前と同じレベルで流れるので、残余のＬＥＤ負荷回路に過剰な電流が流れ込んで過負荷状態で点灯し、故障が連鎖的に拡がってしまうことを防止することができる。
【００２２】
また、本発明のＬＥＤ点灯回路は、以上のように、ＬＥＤに並列に、ツェナダイオードまたはツェナダイオードと抵抗との直列回路を接続して前記分流回路を実現する。
【００２３】
それゆえ、特に１または数個の少数のＬＥＤ毎に設ける分流回路として好適で、常時損失が無く、断線検知から電流の迂回を行うことができる。
【００２４】
さらにまた、本発明のＬＥＤ点灯回路は、以上のように、前記１または直列複数段のＬＥＤに対して並列に設けられるインピーダンス素子およびスイッチ素子の直列回路と、前記１または直列複数段のＬＥＤの断線の有無を検知し、通常時には前記スイッチ素子を開成し、断線が検知されると前記スイッチ素子を閉成する断線検知回路とを備えて前記分流回路を実現する。
【００２５】
それゆえ、特に直列複数段のＬＥＤから成るＬＥＤ負荷回路毎に設ける分流回路として好適で、常時損失が小さく、断線検知から電流の迂回を行うことができる。
【００２６】
また、本発明のＬＥＤ点灯回路は、以上のように、直流電源から一括定電流通電を行う前記各ＬＥＤ負荷回路に直列に、カレントミラー回路を構成する制御素子を設け、それらの制御素子において、前記各ＬＥＤ負荷回路におけるＬＥＤのＯＮ電圧Ｖｆの総和を含めて、ＬＥＤ電流による電圧降下が最も高い回路を基準として、そのＬＥＤ負荷回路に対応した制御素子をダイオード構造とし、制御端子を介して残余の回路の制御素子の通電電流値を連動させることで、各ＬＥＤ負荷回路間のバランスを取るようにする。
【００２７】
それゆえ、各ＬＥＤ負荷回路間の電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。
【００２８】
さらにまた、本発明のＬＥＤ点灯回路は、以上のように、前記直流電源を、ＤＣ−ＤＣコンバータであり、前記各ＬＥＤ負荷回路を流れる総電流値を検出する電流検出手段と、前記電流検出手段からの検出結果を比較するための基準電圧源および比較器と、前記比較器からの出力に応じて、前記ＬＥＤモジュールへの通電電流値の総和が予め定める値となるように前記直流電源をフィードバック制御する制御手段とを備えて構成する。
【００２９】
それゆえ、直流電源から前記各ＬＥＤ負荷回路への通電電流値を検出し、その検出結果に基づいて、前記通電電流値の総和が予め定める値となるように、フィードバックによって前記直流電源を定電流制御するので、定電圧制御に比べて、制御素子での損失が小さく、低損失化することができる。
【００３０】
また、本発明の照明器具は、以上のように、前記のＬＥＤ点灯回路を用いる。
【００３１】
それゆえ、直流電源が複数のＬＥＤから成るＬＥＤモジュールを一括して定電流駆動するにあたって、ＬＥＤ断線時の故障の拡大を防止することができる照明器具を実現することができる。
【発明を実施するための最良の形態】
【００３２】
［実施の形態１］
図１は、本発明の実施の一形態に係るＬＥＤ点灯回路３１の構成を示すブロック図である。このＬＥＤ点灯回路３１では、ＬＥＤＤ１を多数直列に接続したＬＥＤ負荷回路Ｕ１〜Ｕ３を３回路並列に接続してＬＥＤモジュール３２が構成されている。各ＬＥＤ負荷回路Ｕ１〜Ｕ３における直列ＬＥＤ負荷の段数は任意であり、単一のＬＥＤから構成されていてもよい。
【００３３】
各ＬＥＤ負荷回路Ｕ１〜Ｕ３は、ＬＥＤＤ１が共通の放熱板に搭載されてボンディングされ、波長変換用の蛍光体や光拡散用のレンズ等も取付けられて構成されている。このＬＥＤモジュール３２およびＬＥＤ点灯回路３１は、照明器具として用いられ、前記ＬＥＤ負荷としては青または紫外光を放出し、そのＬＥＤ負荷からの光を前記蛍光体で波長変換して白色光として放射する。前記ＬＥＤ負荷回路Ｕ１〜Ｕ３の並列回路数も任意であり、たとえばＲＧＢの３原色で発光させた光を合成するなどの白色光を得るための手法も任意である。
【００３４】
前記ＬＥＤモジュール３２には、商用電源３３からの電圧Ｖａｃを、ノイズカット用のコンデンサＣ１から整流ブリッジ３４にて直流化し、ＤＣ−ＤＣコンバータ３５を介して電圧変換した直流電圧ＶＤＣが与えられる。ＤＣ−ＤＣコンバータ３５は、前記整流ブリッジ３４の直流出力電圧をスイッチングするスイッチング素子Ｑ０と、前記のスイッチングによる励磁エネルギーを蓄積／放出するチョークコイルＬと、前記チョークコイルＬからの出力電流を整流・平滑化するダイオードＤおよび平滑コンデンサＣ２と、前記スイッチング素子Ｑ０を流れる電流を電圧に変換して検知するための抵抗Ｒ１と、前記スイッチング素子Ｑ０のスイッチングを制御する制御回路３６とを備えて構成される昇圧チョッパー回路から成る。
【００３５】
そして直流電源であるそのＤＣ−ＤＣコンバータ３５からＬＥＤモジュール３２へ流れる電流は、電流検知抵抗Ｒ２によって電圧値に変換されて、比較回路３７において、基準電圧源３８からの基準電圧Ｖｒｅｆと比較され、その比較結果が前記制御回路３６にフィードバックされる。制御回路３６は、前記抵抗Ｒ１，Ｒ２の検知結果に応答して、前記スイッチング素子Ｑ０のスイッチング周波数やデューティを制御する。こうして、前記電圧ＶＤＣの定電圧制御およびＬＥＤモジュール３２へ流れる電流の一括定電流制御が行われるようになっている。
【００３６】
前記各ＬＥＤ負荷回路Ｕ１〜Ｕ３には、それらを流れる通電電流値を相互に等しくするために、カレントミラー回路を構成する制御素子Ｑ１〜Ｑ３が直列に設けられており、それらの制御素子Ｑ１〜Ｑ３の内で、対応するＬＥＤ負荷回路Ｕ１〜Ｕ３におけるＬＥＤのＯＮ電圧Ｖｆの総和を含めて、ＬＥＤ電流による電圧降下が最も高い回路（図１の例ではＵ１）を基準として、その回路における前記制御素子（図１の例ではＱ１）をダイオード構造とし、制御端子を介して残余の回路（図１の例ではＵ２，Ｕ３）の制御素子（図１の例ではＱ２，Ｑ３）の通電電流値を連動させることで、各ＬＥＤ負荷回路Ｕ１〜Ｕ３間のバランスが取られている。
【００３７】
具体的には、前記制御素子Ｑ１〜Ｑ３がこの図１のようにトランジスタである場合には、制御端子であるベースと、コレクタとを短絡するとともに、ベースを共通に接続する。また、前記制御素子がＭＯＳ型トランジスタである場合には、制御端子であるゲートと、ドレインとを短絡するとともに、ゲートを共通に接続する。
【００３８】
注目すべきは、本実施の形態では、各ＬＥＤＤ１と並列に分流回路Ａを設け、その分流回路Ａが、対応するＬＥＤ（図１の例ではＤ１）の断線時に、そのＬＥＤＤ１に予め規定されたレベルの電流を、図１において、参照符号Ｆ１で示すように迂回して通過させることである。
【００３９】
具体的には、前記分流回路Ａは、図２（ａ）で示すようにツェナダイオードＺＤの単体、および図２（ｂ）で示すようなツェナダイオードＺＤと抵抗Ｒとの直列回路等、定電流を発生することができる素子または回路から構成されており、その通過電流値は各ＬＥＤ負荷回路Ｕ１〜Ｕ３に予め設定された値である。各ＬＥＤＤ１に並列に設けられる前記ツェナダイオードＺＤとしては、静電気対策のために設けられるツェナダイオードを併用することができる。
【００４０】
このように構成することで、前記抵抗Ｒ２の検知結果による一括定電流制御によってＤＣ−ＤＣコンバータ３５から各ＬＥＤ負荷回路Ｕ１〜Ｕ３への通電電流値の総和が一定となるように制御されるとともに、各ＬＥＤ負荷回路Ｕ１〜Ｕ３間の電流バランスはカレントミラー回路によって均等に制御されるので、多数のＬＥＤＤ１からの光出力を、均一化することができる。また、前記カレントミラー回路の基準電流を作成する回路には、ＬＥＤＤ１のＯＮ電圧Ｖｆの総和が最も高いＬＥＤ負荷回路（図１の例ではＵ１）を用いているので、基準電流のみを作成する回路が不要で、その分の回路損失を無くすことができる。さらにまた、トランジスタなどの制御素子Ｑ１〜Ｑ３の１つをダイオード構造とするとともに、ミラー回路に構成するだけであるので、安価な構成で電流均等化を実現することができる。
【００４１】
たとえば、ＬＥＤ負荷回路の数を前記Ｕ１〜Ｕ３の３つとし、その各ＬＥＤ負荷回路Ｕ１〜Ｕ３を５段のＬＥＤＤ１で構成し、前記ＯＮ電圧Ｖｆのばらつきを±５％とするとき、前記抵抗Ｒ２の検知結果による一括定電流制御のみの場合、すなわち制御素子Ｑ１〜Ｑ３が設けられていない場合には、各ＬＥＤ負荷回路Ｕ１〜Ｕ３間の電流ばらつきは、１７．５〜２２．７ｍＡ（前記一括定電流制御の電流値は６０ｍＡ）となるのに対して、前記制御素子Ｑ１〜Ｑ３を設け、前記のようにＯＮ電圧Ｖｆの総和が最も高いＬＥＤ負荷回路Ｕ１に対応した制御素子Ｑ１を基準として他の制御素子Ｑ２，Ｑ３にミラー動作を行わせることで、電流ばらつきは、２０．０〜２０．１ｍＡに抑えることができる。同様に、前記ＯＮ電圧Ｖｆのばらつきを±１０％とした場合には、一括定電流制御のみで１５．２〜２５．８ｍＡ、ミラー動作を行わせることで、２０．０〜２０．１ｍＡとすることができる。
【００４２】
このＬＥＤ点灯回路３１の直流電源は、チョークコイルＬを有するＤＣ−ＤＣコンバータ３５であるけれども、図５で示すトランスｔを有する絶縁型のＤＣ−ＤＣコンバータであってもよく、特にＬＥＤモジュール３２に対する直流電源は任意である。しかしながら、前記制御素子Ｑ１〜Ｑ３を用いるカレントミラー動作による定電流制御を行うにあたって、直流電源には、定電圧制御と、定電流制御とでは、定電流制御を用いる方が好ましい。
【００４３】
上述の説明では、制御素子（トランジスタ）Ｑ１〜Ｑ３のエミッタ面積比、すなわち各ＬＥＤ負荷回路Ｕ１〜Ｕ３におけるＬＥＤＤ１の定格電流は、各相互に等しかったけれども、相互に異なるように構成されてもよく、その場合、制御素子Ｑ１〜Ｑ３は、その異なる設定電流比を維持するように制御を行う。また、本発明におけるＬＥＤＤ１には、有機ＥＬ（オーガニックＬＥＤ）も適用可能である。
【００４４】
また、本実施の形態のように構成することで、ＤＣ−ＤＣコンバータ３５が複数のＬＥＤＤ１から成るＬＥＤモジュール３２を一括して定電流で点灯駆動し、任意のＬＥＤＤ１０に断線が生じても、そのＬＥＤＤ１０に流れるべき電流は、分流回路Ａによって断線箇所を迂回して、断線前と同じレベルで流れるので、残余のＬＥＤ負荷回路Ｕ２，Ｕ３に過剰な電流が流れ込んで過負荷状態で点灯し、故障が連鎖的に拡がってしまうことを防止することができる。
【００４５】
また、前記分流回路Ａは、ＬＥＤＤ１に並列に設けられるツェナダイオードＺＤまたはツェナダイオードＺＤと抵抗Ｒとの直列回路から成り、特に１または数個の少数のＬＥＤ毎に設ける分流回路として好適で、常時損失が無く、断線検知から電流の迂回を行うことができる。
【００４６】
［実施の形態２］
図３は、本発明の実施の他の形態に係るＬＥＤ点灯回路５１の構成を示すブロック図である。このＬＥＤ点灯回路５１において、前述のＬＥＤ点灯回路３１に類似し、対応する部分には同一の参照符号を付して示し、その説明を省略する。注目すべきは、このＬＥＤ点灯回路５１では、直列複数段のＬＥＤＤ１から成るＬＥＤ負荷回路Ｕ１〜Ｕ３毎に、分流回路Ａ１〜Ａ３が設けられることである。
【００４７】
このため、前記分流回路Ａ１〜Ａ３は、前記各ＬＥＤ負荷回路Ｕ１〜Ｕ３に対して並列に設けられるインピーダンス素子Ｚ１〜Ｚ３およびスイッチ素子ＳＷ１〜ＳＷ３の直列回路と、前記各ＬＥＤ負荷回路Ｕ１〜Ｕ３内のＬＥＤＤ１の断線の有無を検知し、通常時には前記スイッチ素子ＳＷ１〜ＳＷ３を開成し、断線が検知されると前記スイッチ素子ＳＷ１〜ＳＷ３を閉成する断線検知回路Ｓ１〜Ｓ３とを備えて構成される。
【００４８】
前記断線検知回路Ｓ１〜Ｓ３は、前記各ＬＥＤ負荷回路Ｕ１〜Ｕ３と直列に設けられる電流電圧変換抵抗Ｒ１１〜Ｒ３１と、その電流電圧変換抵抗Ｒ１１〜Ｒ３１の端子間電圧を予め定める基準電圧Ｖｒｅｆ１と比較する比較器ＣＰ１〜ＣＰ３および基準電圧源Ｅ１〜Ｅ３と、トランジスタから成る前記スイッチ素子ＳＷ１〜ＳＷ３のベースと前記比較器ＣＰ１〜ＣＰ３の出力端との間を接続するベース抵抗Ｒ１２〜Ｒ３２とを備えて構成される。
【００４９】
したがって、各ＬＥＤ負荷回路Ｕ１〜Ｕ３内のＬＥＤＤ１に断線が生じていないときには、電流電圧変換抵抗Ｒ１１〜Ｒ３１から所定レベルの端子電圧が出力され、前記基準電圧Ｖｒｅｆ１より高くなって比較器ＣＰ１〜ＣＰ３はローレベルを出力し、これによってスイッチ素子ＳＷ１〜ＳＷ３がＯＦＦしてインピーダンス素子Ｚ１〜Ｚ３はＬＥＤ負荷回路Ｕ１〜Ｕ３から切離されている。これに対して、断線が生じると、電流電圧変換抵抗Ｒ１１〜Ｒ３１の端子電圧はグランドレベルとなり、前記基準電圧Ｖｒｅｆ１より低くなって比較器ＣＰ１〜ＣＰ３はハイレベルを出力し、これによってスイッチ素子ＳＷ１〜ＳＷ３がＯＮされて、インピーダンス素子Ｚ１〜Ｚ３は、ＬＥＤ負荷回路Ｕ１〜Ｕ３に代り、制御素子Ｑ１〜Ｑ３と直列にＤＣ−ＤＣコンバータ３５の出力端間に接続される。
【００５０】
このように構成することで、特に直列複数段のＬＥＤＤ１から成るＬＥＤ負荷回路Ｕ１〜Ｕ３毎に設けるのに好適で、常時損失が小さく、断線検知から電流の迂回を行うことができる分流回路Ａ１〜Ａ３を実現することができる。
【００５１】
［実施の形態３］
図４は、本発明の実施のさらに他の形態に係るＬＥＤ点灯回路６１の構成を示すブロック図である。このＬＥＤ点灯回路６１において、前述のＬＥＤ点灯回路５１に類似し、対応する部分には同一の参照符号を付して示し、その説明を省略する。注目すべきは、このＬＥＤ点灯回路６１では、カレントミラー回路の基準電流を作成するＬＥＤ負荷回路Ｕ１には前記電流電圧変換抵抗Ｒ１１だけが設けられて前記分流回路Ａ１は設けられておらず、残余のＬＥＤ負荷回路Ｕ２，Ｕ３における分流回路Ａ２’，Ａ３’では、断線検知回路Ｓ２’，Ｓ３’の比較器ＣＰ２，ＣＰ３は、その電流電圧変換抵抗Ｒ１１の端子間電圧と電流電圧変換抵抗Ｒ２１，Ｒ３１の端子間電圧と比較することである。
【００５２】
前述のように、カレントミラー回路の基準電流を作成するＬＥＤ負荷回路Ｕ１は、ＬＥＤＤ１のＯＮ電圧Ｖｆの総和が最も高い回路であり、したがって何れのＬＥＤにも断線が生じていない状態では、グランド側に挿入した前記電流電圧変換抵抗Ｒ１１の端子電圧は、残余の電流電圧変換抵抗Ｒ２１，Ｒ３１の端子電圧よりも低く、スイッチ素子ＳＷ２，ＳＷ３はＯＦＦしている。これに対して、ＬＥＤ負荷回路Ｕ２，Ｕ３内で断線が生じると、電流電圧変換抵抗Ｒ２１，Ｒ３１の端子電圧は前記電流電圧変換抵抗Ｒ１１の端子電圧よりも低くなるので、スイッチ素子ＳＷ２，ＳＷ３はＯＮする。こうして、前記基準電圧Ｖｒｅｆ１を作成する基準電圧源Ｅ２，Ｅ３を無くし、煩雑な前記基準電圧Ｖｒｅｆ１の調整を無くすことができる。なお、カレントミラー回路の基準電流を作成するＬＥＤ負荷回路Ｕ１内で短絡が生じると、安全のため、全消灯となる。
【図面の簡単な説明】
【００５３】
【図１】本発明の実施の一形態に係るＬＥＤ点灯回路の構成を示すブロック図である。
【図２】図１で示すＬＥＤ点灯回路において、分流回路の一構成例を示す図である。
【図３】本発明の実施の他の形態に係るＬＥＤ点灯回路の構成を示すブロック図である。
【図４】本発明の実施のさらに他の形態に係るＬＥＤ点灯回路の構成を示すブロック図である。
【図５】典型的な従来技術のＬＥＤ点灯回路の構成を示すブロック図である。
【符号の説明】
【００５４】
３１，５１，６１    ＬＥＤ点灯回路
３２    ＬＥＤモジュール
３３    商用電源
３４    整流ブリッジ
３５    ＤＣ−ＤＣコンバータ
３６    制御回路
３７    比較回路
３８    基準電圧源
Ａ；Ａ１，Ａ２，Ａ３；Ａ２’，Ａ３’    分流回路
Ｃ２    平滑コンデンサ
ＣＰ１，ＣＰ２，ＣＰ３    比較器
Ｄ    ダイオード
Ｄ１，Ｄ１０    ＬＥＤ
Ｅ１，Ｅ２，Ｅ３    基準電圧源
Ｌ    チョークコイル
Ｑ０    スイッチング素子
Ｑ１，Ｑ２，Ｑ３    制御素子
Ｒ，Ｒ１，Ｒ２    抵抗
Ｒ１１，Ｒ２１，Ｒ３１    電流電圧変換抵抗
Ｒ１２，Ｒ２２，Ｒ３２ベース抵抗
Ｓ１〜Ｓ３；Ｓ２’，Ｓ３’    断線検知回路
ＳＷ１，ＳＷ２，ＳＷ３    スイッチ素子
Ｕ１，Ｕ２，Ｕ３    ＬＥＤ負荷回路
Ｚ１，Ｚ２，Ｚ３    インピーダンス素子
ＺＤ    ツェナダイオード
【図１】
2008130989.tif 000003
【図２】
2008130989.tif 000004
【図３】
2008130989.tif 000005
【図４】
2008130989.tif 000006
【図５】
2008130989.tif 000007